(57)【要約】【課題】インターネットプリンティングにおけるジャンクメールの記録を防止できる記録装置を提供する。【解決手段】インターネット１０をを介してＰＣ２からＩＰＰを受信した場合、その送信元のＩＰアドレス及びＩＰＰフレームに載っている発信元情報を取得し、取得したＩＰアドレス及びＩＰＰフレーム上の発信元情報が、登録メモリ２０に登録されている所定のＩＰアドレス及びＩＰＰフレーム上の発信元情報と一致するか否かを判断する。一致する場合には受信したＩＰＰデータを記録し、一致しない場合には受信したＩＰＰデータを削除して記録処理を行わない。ＩＰアドレス及びＩＰＰフレーム上の発信元情報が登録されていないような記録依頼元からのＩＰＰデータは記録しない。一致しなくて、送信元のメールアドレスがＩＰＰに存在するときには、受信したＩＰＰデータをその送信元へ返送する。【選択図】        図１
2005014373.tif 000002
【特許請求の範囲】
【請求項１】
コンピュータ通信網を介して記録依頼元から受信したデータを記録する記録装置において、記録依頼元を特定する情報を登録している登録手段と、受信したデータの記録依頼元を特定する情報と前記登録手段の登録内容とに基づいて、受信したデータを記録するか否かを判断する判断手段とを備えることを特徴とする記録装置。
【請求項２】
前記判断手段により、受信したデータを記録しないと判断した場合に、受信したデータの一部または全部を該データの記録依頼元へ送信する送信手段を備えることを特徴とする請求項１記載の記録装置。
【請求項３】
前記登録手段に登録される前記記録依頼元を特定する情報を、複数の記録依頼元からのデータ受信の履歴に基づいて設定する設定手段を備えることを特徴とする請求項１または２記載の記録装置。
【発明の詳細な説明】
【０００１】
【発明の属する技術分野】
本発明は、インターネットなどのコンピュータ通信網に接続可能であり、コンピュータ通信網を介して他装置から受信したデータを記録する記録装置に関する。
【０００２】
【従来の技術】
近年、ローカルなコンピュータ通信網を通信回線で接続してネットワーク化したインターネットを介して電子メールを配信するコンピュータ通信網が普及している。コンピュータ通信網は、誤り訂正能力に優れており、また遠距離であっても通信コストが安価であるという利点を有する。
【０００３】
そして、インターネットに接続することが可能であって、記録依頼元であるパーソナルコンピュータ（以下、ＰＣという）からのプリント用データをインターネットを介して受信して記録処理（インターネットプリンティング）を行う記録装置が知られている。
【０００４】
本発明に関連する技術として、受信側にとって不要である情報が送信されてきた場合の種々の対応を開示したＩＳＤＮ装置（例えば、特許文献１参照）及びファクシミリ装置（例えば、特許文献２，３参照）が提案されている。
【０００５】
【特許文献１】
特開平５−１６０９１７号公報
【特許文献２】
特開平７−２４０８４７号公報
【特許文献３】
特開平７−１６２６３８号公報
【０００６】
【発明が解決しようとする課題】
インターネットプリンティングは、例えばプリンタを有していないＰＣから記録装置（ネットワークプリンタ）へインターネットを介してプリント用データを送信するだけで記録処理を行えるので、非常に便利な機能である。しかしながら、このインターネットプリンティング機能を悪用して、受信者にとっては不要であるダイレクトメールなどの広告情報をネットワークプリンタへ送信して、その情報をプリントアウトさせる悪質業者も横行している。従って、このようなインターネットプリンティングにおけるジャンクメールへの有効な防止策の出現が望まれている。
【０００７】
本発明は斯かる事情に鑑みてなされたものであり、受信したデータの記録依頼元を特定する情報に基づいて受信したデータを記録するか否かを判断することにより、不要なデータが送信されてきた場合にそのデータを記録することがなくなり、必要がない情報を送りつける悪徳業者への対策を施せる記録装置を提供することを目的とする。
【０００８】
【課題を解決するための手段】
請求項１に係る記録装置は、コンピュータ通信網を介して記録依頼元から受信したデータを記録する記録装置において、記録依頼元を特定する情報を登録している登録手段と、受信したデータの記録依頼元を特定する情報と前記登録手段の登録内容とに基づいて、受信したデータを記録するか否かを判断する判断手段とを備えることを特徴とする。
【０００９】
請求項１の記録装置にあっては、コンピュータ通信網を介してデータを受信した場合、そのデータの記録依頼元を特定する情報（ＩＰ（Ｉｎｔｅｒｎｅｔ  Ｐｒｏｔｏｃｏｌ）アドレスまたはＩＰＰ（Ｉｎｔｅｒｎｅｔ  Ｐｒｉｎｔｉｎｇ  Ｐｒｏｔｏｃｏｌ）  フレームに載っている発信元情報）を取得し、取得した記録依頼元を特定する情報と登録手段に登録されている所定の記録依頼元を特定する情報とを比較して、受信したデータを記録するか否かを判断する。例えば、正規の記録依頼元を特定する情報を予め登録手段に登録しておき、受信したデータの記録依頼元を特定する情報がその登録手段の登録内容に一致する場合には受信したデータの記録処理を行い、受信したデータの記録依頼元を特定する情報がその登録手段の登録内容に一致しない場合には受信したデータの記録処理を行わないようにする。これとは逆に、悪徳業者である記録依頼元を特定する情報を予め登録手段に登録しておき、受信したデータの記録依頼元を特定する情報がその登録手段の登録内容に一致する場合には受信したデータの記録処理を行わず、受信したデータの記録依頼元を特定する情報がその登録手段の登録内容に一致しない場合には受信したデータの記録処理を行うようにしても良い。よって、受信したデータの記録処理の要否を自動的に判断できて、不要なデータに対する無駄な記録処理を防止できる。また、不要なデータの記録処理を行うことに伴う必要なデータの記録処理の遅延を防げる。
【００１０】
請求項２に係る記録装置は、請求項１において、前記判断手段により、受信したデータを記録しないと判断した場合に、受信したデータの一部または全部を該データの記録依頼元へ送信する送信手段を備えることを特徴とする。
【００１１】
請求項２の記録装置にあっては、受信したデータを記録しないと判断した場合に、受信したデータの一部または全部を記録依頼元へ返送する。よって、悪徳業者への警告処理を自動的に行える。
【００１２】
請求項３に係る記録装置は、請求項１または２において、前記登録手段に登録される前記記録依頼元を特定する情報を、複数の記録依頼元からのデータ受信の履歴に基づいて設定する設定手段を備えることを特徴とする。
【００１３】
請求項３の記録装置にあっては、複数の記録依頼元からのデータ受信の履歴に基づいて、正規の記録依頼元を特定する情報または悪徳業者である記録依頼元を特定する情報を設定して、登録手段に登録する。よって、記録装置の使用状況の変化などに応じて、登録手段における登録内容を自由に設定できる。
【００１４】
【発明の実施の形態】
以下、本発明をその実施の形態を示す図面を参照して具体的に説明する。
図１は、本発明の記録装置としてのファクシミリ複合装置１の内部構成、及び、ファクシミリ複合装置１を含むネットワークシステムの全体構成を示す模式図である。図１において、１０はコンピュータ通信網としてのインターネットを示し、インターネット１０には、原稿を読み取って画データを得る読取機能、読み取った画データまたは受信したデータに応じた画像を記録する記録機能、及び、読み取った画データまたは受信したデータをファクシミリ送信する送信機能を併せ持ったファクシミリ複合装置１が接続されている。
【００１５】
また、インターネット１０には各種のデータを作成・編集する複数のＰＣ２，２，…が接続されている。そして、各ＰＣ２で作成・編集された各種のデータがインターネット１０を介してファクシミリ複合装置１へ送信され、送信されたデータがファクシミリ複合装置１にてプリントアウトされて、インターネットプリンティングが実行されるようになっている。
【００１６】
本発明のファクシミリ複合装置１は、制御部１１，読取部１２，記録部１３，表示部１４，操作部１５，符号化・復号化部１６，ＲＯＭ１７，ＲＡＭ１８，画像メモリ１９，登録メモリ２０，モデム２１，ＮＣＵ（Ｎｅｔｗｏｒｋ  Ｃｏｎｔｒｏｌ  Ｕｎｉｔ）２２，ネットインタフェース部２３などを備えている。ファクシミリ複合装置１は、インターネット１０を介して各ＰＣ２から送られるデータを記録する記録機能に加えて、ファクシミリ機能，コピー機能も有する。
【００１７】
制御部１１は、具体的にはＣＰＵで構成されており、バス２４を介してファクシミリ複合装置１の上述したようなハードウェア各部と接続されていて、それらを制御すると共に、ＲＯＭ１７に格納された制御プログラムに従って、種々のソフトウェア的機能を実行する。読取部１２は、例えばＣＣＤを利用したスキャナで原稿を読み取り、読み取った画データを出力する。記録部１３は、電子写真方式のプリンタ装置であって、ＰＣ２から送られてきたプリント用データ、ファクシミリ通信により受信した画データ、読取部１２にて読み取った原稿の画データなどをプリントアウトする。
【００１８】
表示部１４は、液晶表示装置またはＣＲＴディスプレイ等の表示装置であり、ファクシミリ複合装置１の動作状態を表示したり、ユーザへ操作入力を促す画面を表示したり、ＰＣ２から送られてきたデータ、送信すべく読み取った原稿の画データ、他のファクシミリ装置から受信した画データなどの表示を行う。
【００１９】
操作部１５は、ファクシミリ複合装置１を操作するために必要な文字キー，テンキー，短縮ダイヤルキー，ワンタッチダイヤルキー，各種のファンクションキーなどを備えている。また、操作部１５は、登録メモリ２０に登録される正規の記録依頼元を特定する情報を設定する設定処理を行うためのユーザの操作入力を受け付ける。なお、表示部１４をタッチパネル方式とすることにより、操作部１５の各種のキーの内の一部または全部を代用することも可能である。
【００２０】
符号化・復号化部１６は、画データを符号化圧縮すると共に、符号化圧縮されているデータを元の画データに復号化する。ＲＯＭ１７は、ファクシミリ複合装置１の動作に必要な種々のソフトウェアのプログラムを予め格納している。ＲＡＭ１８は、ＳＲＡＭまたはフラッシュメモリ等で構成され、インターネット１０を介して送られたデータの記録依頼元を特定する情報を一時的に記憶すると共に、ソフトウェアの実行時に発生する一時的なデータなどを記憶する。画像メモリ１９は、ＤＲＡＭ等で構成され、ＰＣ２から受信したプリント用データ、送信すべく読み取った画データ、他のファクシミリ装置から受信した画データなどを蓄積する。
【００２１】
登録メモリ２０は、複数のＰＣ２からのプリント用データの受信の履歴に基づいてユーザが設定した、受信したデータを記録しても良い正規の記録依頼元を特定する情報（ＩＰアドレス及びＩＰＰフレームに載っている発信元情報）を登録している。この登録メモリ２０における登録内容は、操作部１５を介したユーザの操作入力による設定処理によって追加，変更される。
【００２２】
モデム２１は、バス２４に接続されており、ファクシミリ通信が可能なファクシミリモデムから構成されている。また、モデム２１は、同様にバス２４に接続されたＮＣＵ２２と直接的に接続されている。ＮＣＵ２２は、ＰＳＴＮ（Ｐｕｂｌｉｃ  Ｓｗｉｔｃｈｅｄ  Ｔｅｌｅｐｈｏｎｅ  Ｎｅｔｗｏｒｋ）との回線Ｌの閉結及び開放の動作を行うハードウェアであり、必要に応じてモデム２１をＰＳＴＮと接続する。ネットインタフェース部２３は、インターネット１０を介した各ＰＣ２とのデータの送受信を制御する。
【００２３】
本発明のファクシミリ複合装置１は、以上の如きハードウェア構成を有しており、インターネット１０を介してＰＣ２から送られてくるプリント用データを記録部１３で記録するインターネットプリンティングを行う。このインターネットプリンティングにおいて、インターネット１０を介してＩＰＰを受信した場合、その送信元のＩＰアドレス及びＴＣＰ（Ｔｒａｎｓｍｉｓｓｉｏｎ  Ｃｏｎｔｒｏｌ  Ｐｒｏｔｏｃｏｌ）のＩＰＰフレームに載っている発信元情報を取得し、プリント用データ（ＩＰＰデータ）を全て受信した後、取得したＩＰアドレス及びＩＰＰフレーム上の発信元情報が、登録メモリ２０に登録されている所定のＩＰアドレス及びＩＰＰフレーム上の発信元情報と一致するか否かを判断し、一致する場合には受信したＩＰＰデータを記録し、一致しない場合には受信したＩＰＰデータを削除して記録処理を行わない。即ち、ＩＰアドレス及びＩＰＰフレーム上の発信元情報が登録されていないような記録依頼元からのＩＰＰデータは記録しないようにする。また、一致しなくて、送信元のメールアドレスがＩＰＰに存在するときには、受信したＩＰＰデータの一部または全部をその送信元へ返送する。
【００２４】
図２は、本発明のファクシミリ複合装置１におけるインターネットプリンティング処理の動作手順を示すフローチャートである。
【００２５】
インターネット１０を介してＩＰＰの受信を検知した場合（ステップＳ１：ＹＥＳ）、制御部１１は、送信元のＩＰアドレスをＲＡＭ１８に記憶すると共に（ステップＳ２）、ＩＰＰフレームに載っている発信元情報をＲＡＭ１８に記憶する（ステップＳ３）。次いで、制御部１１は、受信したＩＰＰデータを画像メモリ１９に蓄積する（ステップＳ４）。制御部１１は、全てのＩＰＰデータの画像メモリ１９への蓄積を完了したか否かを判断し（ステップＳ５）、完了していない場合には（Ｓ５：ＮＯ）、動作がＳ４に戻ってＩＰＰデータの蓄積処理を継続する。
【００２６】
全てのＩＰＰデータを画像メモリ１９に蓄積した場合（Ｓ５：ＹＥＳ）、制御部１１は、インターネットプリンティングにおいて本発明におけるジャンクメール防止機能がオンとなっているか否かを判断する（ステップＳ６）。オンになっていない場合には（Ｓ６：ＮＯ）、受信して画像メモリ１９に蓄積されているＩＰＰデータを記録部１３にて記録して（ステップＳ１３）動作を終了する。
【００２７】
ジャンクメール防止機能がオンとなっている場合（Ｓ６：ＹＥＳ）、制御部１１は、受信してＲＡＭ１８に記憶してあるＩＰアドレス及びＩＰＰフレーム上の発信元情報が登録メモリ２０に登録されている登録内容（ＩＰアドレス及びＩＰＰフレーム上の発信元情報）と一致するか否かを判断する（ステップＳ７）。一致する場合には（Ｓ７：ＹＥＳ）、受信して画像メモリ１９に蓄積されているＩＰＰデータを記録部１３にて記録して（ステップＳ８）動作を終了する。
【００２８】
一方、一致しない場合（Ｓ７：ＮＯ）、制御部１１は、受信したＩＰＰにメールアドレスが存在するか否かを判断する（ステップＳ９）。存在する場合には（Ｓ９：ＹＥＳ）、受信して画像メモリ１９に蓄積されているＩＰＰデータの一部または全部をそのメールアドレスへ送信した後（ステップＳ１０）、画像メモリ１９に蓄積されているＩＰＰデータを削除して（ステップＳ１１）動作を終了する。メールアドレスが存在しない場合には（Ｓ９：ＮＯ）、受信して画像メモリ１９に蓄積されているＩＰＰデータを削除して（ステップＳ１２）動作を終了する。
【００２９】
上述した例では、ＩＰアドレス及びＩＰＰフレーム上の発信元情報の両方が一致するか否かに応じて記録処理実行の有無を決定するようにしたが、ＩＰアドレスまたはＩＰＰフレーム上の発信元情報の何れか一方が一致するか否かに応じて記録処理実行の有無を決定するようにしても良い。
【００３０】
例えば、ＩＰアドレスが一致するか否かに応じて記録処理実行の有無を決定するような場合には、複数のＰＣ２から同じＩＰアドレスで不要な情報を送りつけてくる悪徳業者に対処でき、その悪徳業者が新規のＰＣ２を追加した場合でも同じＩＰアドレスである限り対処可能である。
【００３１】
一方、ＩＰＰフレーム上の発信元情報が一致するか否かに応じて記録処理実行の有無を決定するような場合には、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバを利用して周期的にＩＰアドレスを変更するような悪徳業者に対処できる。
【００３２】
また、上述した例では、受信データを記録しても良い正規の記録依頼元を特定する情報を登録メモリ２０に登録してあるようにしたが、これとは逆に、受信データを記録したくない記録依頼元を特定する情報を登録メモリ２０に登録しておくようにしても良い。このような場合では、受信したデータの記録依頼元を特定する情報が登録メモリ２０の登録内容に一致するときに受信したデータの記録処理を行わず、受信したデータの記録依頼元を特定する情報が登録メモリ２０の登録内容に一致しないときに受信したデータの記録処理を行うようにすれば良い。また、この場合の登録メモリ２０への登録内容は、悪徳業者からの過去のデータ受信の履歴に基づいて設定すれば良い。
【００３３】
【発明の効果】
以上のように本発明では、受信したデータの記録依頼元を特定する情報と登録手段に予め登録されている記録依頼元を特定する情報とを比較して、受信したデータを記録するか否かを判断するようにしたので、不要なデータが送信されてきた場合にそのデータを記録しなくても良くなり、悪徳業者からの不要な情報送信への対策を施すことができ、インターネットプリンティングにおけるジャンクメールの記録を防止できる。
【００３４】
また、本発明では、受信したデータを記録しないと判断した場合に、受信したデータの一部または全部を記録依頼元へ返送するようにしたので、不要な情報を送りつけてきた悪徳業者へ警告を発することができる。
【００３５】
更に、本発明では、複数の記録依頼元からのデータ受信の履歴に基づいて、登録手段に登録すべき正規の記録依頼元を特定する情報または悪徳業者である記録依頼元を特定する情報を設定するようにしたので、記録装置の使用状況の変化などに応じて、登録手段における登録内容を自由に設定することができる。
【図面の簡単な説明】
【図１】本発明のファクシミリ複合装置の内部構成、及び、ファクシミリ複合装置を含むネットワークシステムの全体構成を示す模式図である。
【図２】本発明のファクシミリ複合装置におけるインターネットプリンティング処理の動作手順を示すフローチャートである。
【符号の説明】
１  ファクシミリ複合装置
２  ＰＣ
１０  インターネット
１１  制御部
１３  記録部
１５  操作部
１７  ＲＯＭ
１８  ＲＡＭ
１９  画像メモリ
２０  登録メモリ
２３  ネットインタフェース部
【図１】
2005014373.tif 000003
【図２】
2005014373.tif 000004